(57)【特許請求の範囲】
【請求項１】
所定の幅で適当な厚さと長さを有する略板状をなし一方の面が構築物等に取付けられる取付け面とされ他方の面側が日除け装置取付け側とされ長手方向に沿い全長に亘って案内部を設けられた本体と、前記案内部に案内される被案内部を有し案内部に沿って移動調節可能であり且つ所望移動位置において前記本体に固定可能である日除け装置支持用のブラケットと、を備え、前記本体が、取付けの際に選択して使用できるように厚さ方向に貫通した多数の取付け穴を穿設してあり、前記案内部が、前記長手方向に沿い全長に亘って設けられた２本の溝であり開口の幅が深さ方向の途中で広く形成され、前記被案内部が、前記溝内に夫々位置し前記ブラケットに作用する荷重に対抗するように前記溝と係合した係合部に形成されている日除け装置取付具。
【請求項２】
前記溝が、前記日除け装置取付け側に開口して設けられ、前記係合部が、前記ブラケットとは別個の係合部材に形成され、日除け装置取付け側から前記溝の開口に向かって前記ブラケットを貫通し前記係合部材に螺合した雄ねじを設けられ、前記雄ねじを締め込むことによって前記係合部材とブラケットが前記本体に固定されるように構成したことを特徴とする請求項１に記載の日除け装置取付具。
【請求項３】
板状部の一方の面から突出し前記本体端面に開口している前記溝の開口に嵌入する嵌入凸部と、前記板状部を前記本体の取付け面側又は前記日除け装置取付け側に延長形成した本体を取付ける壁面に略垂直に連なる壁面に対する結合部と、を具備する本体端部係止具を設けたことを特徴とする請求項１、又は請求項２に記載の日除け装置取付具。
【発明の詳細な説明】
【０００１】
【発明の属する技術分野】
この発明は、日除けシートを備える日除け装置を所望の取付箇所に取り付けるための取付具に関する。
【０００２】
【従来の技術】
日除け装置として図１０（概略側面図）に示すものがある。この日除け装置１は、図１の斜視図に示すように、布又はビニールシート製の日除けシート２が巻き付けられている巻き取りシャフト３を備えている。この巻き取りシャフト３の両端部は、軸受４により回動自在に支持されており、各軸受４は一対のエンドブラケット５に取り付けてある。この一対のエンドブラケット５は、角シャフト（本体部材）６に取り付けてあり、この角シャフト６は２つのブラケット７に取り付けてある。そして、この２つのブラケット７は、取付壁面８にアンカーボルト９、９により固定して取り付けてある。また、角シャフト６には、アーム１０を介してフロントバー１１を取り付けてあり、このフロントバー１１には日除けシート２の先端縁を結合してある。
【０００３】
この日除け装置１を使用しないときは、同図１０に見られるように、日除けシート２を巻き取りシャフト３に巻き付けた状態にしておく。この状態では、フロントバー１１が巻き取りシャフト３に接近しており、アーム１０が屈曲した状態となっており、これら日除けシート２、フロントバー１１、及びアーム１０を雨ケース１２の内側に収容することができる。
そして、日除け装置１を使用するときは、別に準備されているクランクハンドル（図示せず）の先端部を、図１０に示す環状係合部１３に係合させて、この環状係合部１３を所定の方向に所望の回転数だけ回転させる。これにより、巻き取りシャフト３が図１０において時計方向に回転してフロントバー１１が巻き取りシャフト３から離れる方向に移動することとなり、日除けシート２を所望の長さに広げることができる。なお、同図において、１４、１５は取付用ボルト、１６は雨ケース支持用のＬ字型アームである。
【０００４】
この日除け装置１は、日除けシート２を広げた状態では、強風により大きな力を受けることがあるので、図１０に示すように、ブラケット７とアンカーボルト９により、取付壁面８にしっかりと固定して取り付ける必要がある。
【０００５】
【発明が解決しようとする課題】
しかし、日除け装置１を例えば取付壁面８の所望の箇所に取り付けようとするとき、この日除け装置１を支持するためのブラケット７を取付壁面８の所定の適切な位置に取り付ける必要があるが、その適切な位置にブラケット７を取り付けることができない場合がある。このような場合は、日除け装置１をその所望の箇所に取り付けることができないという問題がある。
つまり、図１に示すように、日除け装置１を支持するためのブラケット７は、この日除け装置１を支持するために適切な箇所、例えば日除け装置１の両端の近傍を支持するように取付壁面８の所定の箇所に取り付ける必要がある。従って、日除け装置１を取付壁面８の所望の箇所に取り付ける場合は、日除け装置１を取付壁面８の所望の箇所に配置した状態で、ブラケット７と対応する箇所にブラケット７を取り付けることができる柱等の支持部材１４が取付壁面８に設けられている必要がある。よって、ブラケット７を取り付けるための柱等の支持部材１４が取付壁面８の所定の箇所に設けられていない場合は、日除け装置１を所望の箇所に取り付けることができないという問題がある。
【０００６】
本発明は、日除け装置を所望の取付箇所に強固に取り付けることができる日除け取付具を提供することを目的とする。
【０００７】
【課題を解決するための手段】
本発明の日除け装置取付具は、所定の幅で適当な厚さと長さを有する略板状をなし一方の面が構築物等に取付けられる取付け面とされ他方の面側が日除け装置取付け側とされ長手方向に沿い全長に亘って案内部を設けられた本体と、前記案内部に案内される被案内部を有し案内部に沿って移動調節可能であり且つ所望移動位置において前記本体に固定可能である日除け装置支持用のブラケットと、を備えている。
【０００８】
この日除け装置取付具により、例えば、壁面にある柱や縦桟等を利用して日除け装置を壁面に取付ける場合、取付けようとする構築物の壁面の所定位置に、予めブラケット位置を想定して本体を取付ける。このとき本体は水平方向に長い状態であり、その取付け位置において幾つかの柱や縦桟と交錯するから、その適当な交錯位置で、アンカーボルト、あるいはねじ等により柱や桟に本体を強固に固定する。次に、ブラケットを本体の所望位置に案内部に沿って移動させて固定する。そしてブラケットに日除け装置を取付ける。壁面に固定された本体の長手方向に沿ってブラケットを所望位置に移動させて固定するので、ブラケットを適切な位置に固定でき、日除け装置の適切な位置をブラケットで支持することができる。日除け装置の取付け状態は、取付具本体が壁面の柱や縦桟に固定されているから、強固なものである。
【０００９】
前記本発明の日除け装置取付具において、前記案内部が、前記長手方向に沿って設けられた溝であり、前記被案内部が、前記溝内に位置し前記ブラケットに作用する荷重に対抗するように前記溝と係合した係合部に形成されている構成とするのが良い。この構成では、溝と係合部との係合により、ブラケットに作用する荷重に確実に対処できる。
【００１０】
前記本発明の日除け装置取付具において、前記本体が、取付けの際に選択して使用できるように厚さ方向に貫通した多数の取付け穴を穿設してある構成とするのが良い。この構成では、日除け装置を取付ける施工現場において、本体に穴を穿設する作業が省略できるから、現場の作業能率が向上する。
【００１１】
前記本発明の日除け装置取付具において、前記溝が、前記日除け装置取付け側に開口して設けられ、前記係合部が、前記ブラケットとは別個の係合部材に形成され、日除け装置取付け側から前記溝の開口に向かって前記ブラケットを貫通し前記係合部材に螺合した雄ねじを設けられ、前記雄ねじを締め込むことによって前記係合部材とブラケットが前記本体に固定されるように構成するのが良い。この構成では、雄ねじの締め込みを緩めることによってブラケットを係合部材及び雄ねじと共に溝に沿って移動可能となり、また締め込むことによって固定できるから、単なる係合でなく直接締め付けた固定状態であり、がたつきのないより強力な固定状態が得られる。
【００１２】
前記本発明の日除け装置取付具において、板状部の一方の面から突出し前記本体端面に開口している前記溝の開口に嵌入する嵌入凸部と、前記板状部を前記本体の取付け面側又は前記日除け装置取付け側に延長形成した本体を取付ける壁面に略垂直に連なる壁面に対する結合部と、を具備する本体端部係止具を設けた構成とするのがよい。この構成では、板状部を本体の取付け面側へ延長形成したものは、日除け装置を取付ける壁面が、本体の端部位置から背面側へ直角に屈曲して連なる壁面があって外角部をなしているときに使用し、板状部を日除け装置取付け側へ延長形成したものは、日除け装置を取付ける壁面が、本体端部位置から正面側へ直角に屈曲して連なる壁面があって内角部をなしているときに使用する。板状部を延長形成した結合部が、外角部又は内角部の壁面に結合固定されると、嵌入凸部が本体端部をその位置に係止する。従って、本体固定状態において端部が壁面から浮上がることを防止できる。また、この本体端部係止具は外角部側では本体端部を覆うように形成できるので意匠的に優れたエンドキャップの機能を持たせることができる。
【００１３】
【発明の実施の形態】
本発明の第１実施形態を、図１〜図７を用いて説明する。この実施形態の日除け装置取付具２０（以下取付具２０と記す）は、金属製の本体２１と、ブラケット２２と、本体端係止具２３、２４、からなる。取付具２０は、図１に示すように、日除け装置１を鉛直面として形成されている取付壁面８の所望の箇所に取り付けることができるようにするためのものである。この実施形態では、取付壁面８の横幅が日除け装置１の長さと略同じ長さとなっている。そして、この取付壁面８の左側縁が左側壁面２５と直角に交差しており、この取付壁面８と左側壁面２５とにより外側に突出する外角部２６が形成されている。また、取付壁面８の右側縁が右側壁面２７と直角に交差しており、この取付壁面８と右側壁面２７とにより内側に窪んでいる内角部２８が形成されている。取付ける日除け装置１は、図１及び図７に示すように、従来の技術で説明したものと同等のものであり、２つのブラケット２２により角シャフト６の両方の各端部近傍を支持することにより、この日除け装置１を所望の箇所に取り付けることができる構成のものであり、詳細な説明を省略する。
【００１４】
本体２１は、図２、図３に示すように、例えば、Ａｌ又はＡｌ合金の鋳造品であり、所定の幅で適当な厚さと長さを有する略板状に形成されている。本体２１の厚さを構成する双方の面の一方が、つまり正面図の背面側が、構築物等の取付壁面８に取付けられる取付け面２９とされ、他方の面側が、つまり正面図の手前側が、後述するブラケット２２を設ける日除け装置取付け側とされ、長手方向に沿い全長に亘って案内部３０としての溝３１、３１を設けられている。溝３１の断面形状は、図３（ａ）に示すように、正面側に開口している開口の幅が深さ方向の途中で広く形成されたものである。つまり、開口縁部の幅よりも幅の広い部分３２が途中に設けられている。そして溝底側の開口縁部と同じ幅の部分は本体取付ねじ３３の頭部３４が位置するようになっていて、頭部３４が後述する被案内部３５と干渉しないようになっている。
【００１５】
また、本体２１には、取付けの際に選択して使用できるように厚さ方向に貫通した多数の取付け穴３６を穿設してある。取り付け穴３６は、例えば、本体２１の幅方向に４個が列を成し、長手方向に適当な間隔で多数の列として設けられている。各列の両端の取付け穴３６は溝３１，３１の底を貫通するように設けてあり、その間の取付け穴３６は本体２１前面に溝３１の底と同程度の底が形成される凹所３７を設けてその凹所３７内に設けてある。なお、この本体２１は、一つの日除け装置に必要な長さのものを一体に鋳造成型したものであっても良いが、必要に応じてある程度短い、例えば、一般的な日除け装置の幅に対応する長さの整数分の１等の適当な長さに形成しておいて、複数個を連続配置して使用するようにしても良い。その場合には、図３（ａ）に見られるピン穴３８を適当数向き合う端面で一致する位置に設けておいて、端面の位置合わせに使用する。
【００１６】
ブラケット２２は、図２、図３に見られるように、本体２１の前面に、双方の溝３１、３１に跨るように配置される略縦長の長方形板状の基部３９と、この基部の背面側に全幅に亘って突設され、案内部３０としての溝３１、３１の各々に係合している被案内部３５としての係合部４０、４０を有し、基部３９の前側下部に突設されている上下のアーム状の日除け装置支持部４１を有している。この日除け装置支持部４１の構成は従来のブラケット７におけるものと同様であるので、説明を省略する。このブラケット２２は、本体２１の端部から溝３１、３１に係合部４０、４０を挿入して溝３１、３１に沿って任意の位置に移動させることが可能である。そして、ブラケット７は所望の移動させた位置で、止めねじ４２によって本体２１に固定することができる。なお、図２、図３における４３は雨ケース１２取付用のＬ字型アーム１６を固定しているボルトである。
【００１７】
本体端係止具２３、２４は、例えば、本体と同じ鋳造製品であり、図４に示すように、長方形の板状部４４と、その一方の面に突出し本体２１の端面に開口している溝３１、３１の開口に嵌入するような溝に対応する断面形状の嵌入凸部４５、４５と、取付壁面８に板状部４４を結合固定するための、例えば、８個のねじ４６のねじ挿通孔４７と、を有する構成である。本体端係止具２３は、図１における左側の外角部２６に対応するもので、図４（ａ）〜（ｃ）に見られるように、正面形状で板状部４４の右側の面に嵌入凸部４５が突出し、側面形状で板状部４４の正面側の縁に嵌入凸部４５の正面側の面が一致している。図１における右側の内角部２８に対応する本体係止具２４は、詳細を図示していないが、正面形状で板状部の左側に嵌入凸部４５が突出し、側面形状で板状部の背面側の縁に嵌入凸部の背面側の面が一致しないで、本体２１の溝３１の底厚さ分だけ正面側に変位して位置している。これにより、図２（ｂ）に見られるように、内角部２８に空間が残らないように設置できる。
【００１８】
本体端係止具の他の実施形態を図５、図６に示す。この例では前述したものが上下に分けて形成され、上下方向の途中部分が省略されている。図５は左側の外角部２６用を示し、同図（ａ）、（ｂ）は上側の本体端係止具２３ａ、同図（ｃ）、（ｄ）は下側の本体端係止具２３ｂである。図６は右側の内角部２８用を示し、同図（ａ）、（ｂ）は上側の本体端係止具２４ａ、同図（ｃ），（ｄ）は下側の本体端係止具２４ｂである。なお、図において、４４ａ、４４ｂ、４４ｃ、４４ｄは板状部、４５は嵌入凸部、４７はねじ挿通孔を示す。前述した図４又は図５、６の構成は外観、強度等を考慮し、状況に応じて適当に採用すればよい。また、実施形態では左側の外角部２６と、右側の内角部２８とに用いられる本体係止具を示しているが、左側の内角部や右側の外角部に用いる本体係止具は前記したものと左右対称形状のものを使用すればよい。
【００１９】
この取付具２０を使用して日除け装置１を図１のように取付けるには、まず右側の本体端係止具２４を右側壁面２７に取付けねじ４６によって取付け、次に本体２１の溝３１端に嵌入凸部４５を嵌合させ、本体２１を取付けねじ３３によって取付け、そしてブラケット２２、２２の係合部４０、４０を溝３１、３１に本体２１の右端から挿入し、次に左側の本体端係止具２３の嵌入凸部４５を本体２１の溝３１に嵌合させ、左側壁面２５に本体端係止具２３を取付けねじ４６によって取付ける。この状態でブラケット２２、２２は案内部３０としての溝３１、３１に沿って摺動可能である。取付ける日除け装置１の支持に最適な位置にブラケット２２、２２を移動させてから、ブラケットの止めねじ４２を締め込んでブラケット２２、２２を固定する。そして、日除け装置１を所定の固定手段で、ブラケット２２、２２の日除け装置支持部４１、４１に取付けて取付け作業を終わる。
日除け装置１を取付けた状態は、図１、図７に示すようになり、図１は日除けシート２を展開した状態、図７は日除けシート２を巻き込んだ状態を示す。
【００２０】
本発明の第２実施形態を、図８、図９を用いて説明する。この実施形態の日除け装置取付具ａは、第１実施形態に比べて、ブラケット２２ａの被案内部３５としての係合部４０ａの構成が相違している。この相違点について主に説明し、他の部分の第１実施形態と同等部分は、同一図面符号で示して説明を省略する。
【００２１】
本体２１及びこれに設けられている溝３１、３１は略同様なものであるが、ブラケット２２ａは、係合部が、基部３９ａ及び日除け装置支持部４１とは別個の係合部材４０ａに形成されている。係合部材４０ａは、図９に拡大して示すように、係合する溝３１に直角な断面形状は同図（ｃ）に見られるように第１実施形態と同じであるが、同図（ａ）、（ｂ）に見られるように溝３１に沿う方向の長さが短く、正面から見て中心部にねじ穴５０を有し、段付角形のナット部材状に形成されている。そしてブラケット２２ａには本体２１の上下の溝３１、３１の位置に対応して、上側にねじ挿通孔４７が縦長の長穴として２個、下側にねじ挿通孔４８が横長の長穴として１個穿設されている。溝３１内に挿入してある係合部材４０ａに対して図８（ａ）に見られるように、雄ねじ４９を前面からねじ挿通孔４７，４８に挿通し、ねじ穴５０にねじ込むことによって、ブラケット２２ａ側に連結する。雄ねじ４９を締めこむと、係合部材４０ａが本体２１及びブラケット２２ａと一体に結合固定される。雄ねじ４９を緩めると、ブラケット２２ａと係合部材４０ａは連結された状態で溝３１に沿って移動可能である。つまり、この実施形態では係合部材４０ａが、ブラケットの被案内部とブラケットの固定手段とを兼ねている。
【００２２】
第２実施形態の取付具２０ａは、第１実施形態のものと略同様にして日除け装置１を取付けることができるから、この取付操作の説明は省略する。
【００２３】
第１、第２実施形態の日除け取付具２０、２０ａは、本体２１を取付壁面８に取付ける際に、柱や縦桟と交叉する位置で、取り付け穴３６を使用し、取付ねじ３３によって固定するから、確実に、強固に固定される。取り付け穴３６は場合によっては省略可能であるが、現場で必要な箇所に穿設することになる。従って予め設けておくことにより現場での作業をその分簡略にすることができる。
また、ブラケット２２、２２ａは係合部４０、又は係合部材４０ａによって本体２１の溝に係合しているから、本体に強固に固定でき、つまりブラケットに作用する荷重に確実に対処でき、日除け装置１を強力に支持することができる。
【００２４】
また、本体端係止具２３を設けた構成は、本体２１の端部をより強力に固定するものであるから、より強力に日除け装置１を取付けることができる。
また、第２実施形態のものでは、係合部材４０ａが被案内部と固定手段の一部を兼ねているから、単なる係合状態よりも本体と係合部との間にがたつきが起こり難い強力な固定状態が得られる。
【００２５】
前記実施形態において壁面に対して取り付け具２０、２０ａを取付けるために、取付けねじ３３を用いたが、アンカーボルト等であっても別段差支えはなく、要は壁を構成している材質に適したものを使用すればよい。
【００２６】
【発明の効果】
請求項１に記載の発明は、壁面に強固に固定された本体の長手方向に沿ってブラケットを所望位置に移動させて固定するので、ブラケットを適切な位置に固定でき、日除け装置の適切な位置をブラケットで支持することができ、溝と係合部との係合により、ブラケットに作用する荷重に確実に対処でき、日除け装置を取付ける施工現場において、本体に穴を穿設する作業が省略できるから、現場の作業能率が向上する効果を奏する。
請求項２に記載の発明は、雄ねじ部材の締め込みを緩めることによってブラケットを係合部材及び雄ねじ部材と共に溝に沿って移動可能となり、また締め込むことによって固定できるから、単なる係合でなく直接締め付けた固定状態であり、がたつきのないより強力な固定状態が得られる効果を奏する。
請求項３に記載の発明は、本体固定状態において端部が壁面から浮上がることを防止でき、また、外角部側では本体端部を覆うように形成できるので意匠的に優れたエンドキャップの機能を持たせることができる効果を奏する。
【図面の簡単な説明】
【図１】本発明の第１実施形態の取付具によって日除け装置を取付たシート展開状態を示す概略斜視図である。
【図２】同実施形態の構成を示し、（ａ）は部分省略正面図、（ｂ）は部分省略平面図である。
【図３】同実施形態を拡大して示し、（ａ）は本体端係止具を除去した左側面図、（ｂ）は部分正面図である。
【図４】同実施形態の左側外角用本体端係止具を拡大して示し、（ａ）は正面図、（ｂ）は右側面図、（ｃ）は平面図である。
【図５】左側外角用本体端係止具の他の実施形態を示し、（ａ）は上側係止具の正面図、（ｂ）は上側係止具の右側面図、（ｃ）は下側係止具の正面図、（ｄ）下側係止具の右側面図である。
【図６】右側内角用本体端係止具の他の実施形態を示し、（ａ）は上側係止具の正面図、（ｂ）は上側係止具の左側面図、（ｃ）は下側係止具の正面図、（ｄ）は下側係止具の左側面図である。
【図７】同実施形態の取付具によって日除け装置を取付たシート巻き込み状態を示す概略左側面図である。
【図８】本発明の第２実施形態を示し、（ａ）は右側面図、（ｂ）は部分正面図である。
【図９】同第２実施形態で使用する係合部材を拡大して示し、（ａ）は平面図、（ｂ）は正面図、（ｃ）は正面図の中央縦断面図である。
【図１０】従来の日除け装置取付具を示す概略左側面図である。
【符号の説明】
１      日除けシート
２      シート
３      シャフト
４      軸受
６      角シャフト
８      取付壁面
１０    アーム
１２    雨ケース
１６    Ｌ字型アーム
２０    （日除け）取付具
２１    本体
２２、２２ａ    ブラケット
２３    本体端係止具
２４、２４ａ    本体端係止具
２５    左側壁面
２６    外角部
２７    右側壁面
２８    内角部
２９    取付面
３０    案内部
３１    溝
３２    幅の広い部分
３３    取付ねじ
３４    頭部
３５    被案内部
３６    取り付け穴
３７    凹所
３８    ピン穴
３９    基部
４０    係合部
４０ａ  係合部材
４１    日除け装置支持部
４２    止めねじ
４３    ボルト
４４、４４ａ、４４ｂ、４４ｃ、４４ｄ    板状部
４５    嵌入凹部
４６    ねじ
４７、４８    ねじ挿通孔
４９    ねじ
５０    ねじ穴
【図１】
0003576147.tif 000002
【図２】
0003576147.tif 000003
【図３】
0003576147.tif 000004
【図４】
0003576147.tif 000005
【図５】
0003576147.tif 000006
【図６】
0003576147.tif 000007
【図７】
0003576147.tif 000008
【図８】
0003576147.tif 000009
【図９】
0003576147.tif 000010
【図１０】
0003576147.tif 000011